【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
顔を含む画像からなるサンプル画像を取得する取得回路と、
ユーザを連続的に撮像して画像データを出力する撮像部と、
前記撮像部から出力される画像データにより表されるライブビュー画像におけるユーザの顔の大きさと、前記取得回路により取得した前記サンプル画像における顔の大きさとを互いに近似させるように、前記ライブビュー画像におけるユーザの顔の大きさと、前記サンプル画像における顔の大きさとの少なくとも一方を調整する調整回路と、
前記調整回路により前記サンプル画像と前記ライブビュー画像における顔の大きさがお互いに近似された、前記サンプル画像と前記ライブビュー画像を表示させる表示制御回路と、
を備えることを特徴とする画像表示装置。
【請求項２】
前記調整回路は、
前記撮像部から出力される画像データにより表されるライブビュー画像におけるユーザの顔が前記検出回路により検出された前記サンプル画像における顔の大きさよりも小さい場合は、前記ライブビュー画像における前記ユーザの顔を大きく、又は前記サンプル画像の顔を小さくし、
前記撮像部から出力される画像データにより表されるライブビュー画像におけるユーザの顔が前記検出回路により検出された前記サンプル画像における顔の大きさよりも大きい場合は、前記ライブビュー画像における前記ユーザの顔を小さく、又は前記サンプル画像の顔を大きくすることで、
前記ライブビュー画像における顔の大きさと前記サンプル画像における顔の大きさを近似させるように調整することを特徴とする請求項１に記載の画像表示装置。
【請求項３】
前記サンプル画像における前記顔は、メイクアップが施された顔であることを特徴とする請求項１又は２に記載の画像表示装置。
【請求項４】
前記表示制御回路は、前記調整回路により前記サンプル画像と前記ライブビュー画像における顔の大きさがお互いに近似された、前記サンプル画像と前記ライブビュー画像を、お互いの顔が重ね合う部位に交互に表示させることを特徴とする請求項１乃至３のいずれか一項に記載の画像表示装置。
【請求項５】
前記表示制御回路により前記ライブビュー画像を表示させる時間と、前記サンプル画像を表示させる時間とが異なることを特徴とする請求項４記載の画像表示装置。
【請求項６】
前記表示制御回路により前記ライブビュー画像を表示させる時間が、前記サンプル画像を表示させる時間よりも長いことを特徴とする請求項５記載の画像表示装置。
【請求項７】
前記表示制御回路は、メイクアップの段階や部位に応じた種別毎にメイクアップが施された複数種の前記顔を表示させることを特徴とする請求項１乃至６の何れか一項に記載の画像表示装置。
【請求項８】
顔を含む画像からなるサンプル画像を取得する取得ステップと、
ユーザを連続的に撮像して画像データを出力する撮像ステップと、
前記撮像ステップで出力される画像データにより表されるライブビュー画像におけるユーザの顔の大きさと、前記取得ステップにより取得した前記サンプル画像における顔の大きさとを互いに近似させるように、前記ライブビュー画像におけるユーザの顔の大きさと、前記サンプル画像における顔の大きさとの少なくとも一方を調整する調整ステップと、
前記調整ステップにより前記サンプル画像と前記ライブビュー画像における顔の大きさがお互いに近似された、前記サンプル画像と前記ライブビュー画像を表示させる表示制御ステップと、
を含むことを特徴とする画像表示方法。
【手続補正２】
【補正対象書類名】明細書
【補正対象項目名】０００７
【補正方法】変更
【補正の内容】
【０００７】
前記課題を解決するため、請求項１記載の発明に係る画像表示装置にあっては、顔を含む画像からなるサンプル画像を取得する取得回路と、ユーザを連続的に撮像して画像データを出力する撮像部と、前記撮像部から出力される画像データにより表されるライブビュー画像におけるユーザの顔の大きさと、前記取得回路により取得した前記サンプル画像における顔の大きさとを互いに近似させるように、前記ライブビュー画像におけるユーザの顔の大きさと、前記サンプル画像における顔の大きさとの少なくとも一方を調整する調整回路と、前記調整回路により前記サンプル画像と前記ライブビュー画像における顔の大きさがお互いに近似された、前記サンプル画像と前記ライブビュー画像を表示させる表示制御回路と、を備えることを特徴とする。
【手続補正３】
【補正対象書類名】明細書
【補正対象項目名】０００８
【補正方法】変更
【補正の内容】
【０００８】
また、請求項２記載の発明に係る画像表示装置にあっては、前記調整回路は、前記撮像部から出力される画像データにより表されるライブビュー画像におけるユーザの顔が前記検出回路により検出された前記サンプル画像における顔の大きさよりも小さい場合は、前記ライブビュー画像における前記ユーザの顔を大きく、又は前記サンプル画像の顔を小さくし、前記撮像部から出力される画像データにより表されるライブビュー画像におけるユーザの顔が前記検出回路により検出された前記サンプル画像における顔の大きさよりも大きい場合は、前記ライブビュー画像における前記ユーザの顔を小さく、又は前記サンプル画像の顔を大きくすることで、前記ライブビュー画像における顔の大きさと前記サンプル画像における顔の大きさを近似させるように調整することを特徴とする。
【手続補正４】
【補正対象書類名】明細書
【補正対象項目名】００１０
【補正方法】変更
【補正の内容】
【００１０】
また、請求項４記載の発明に係る画像表示装置にあっては、前記表示制御回路は、前記調整回路により前記サンプル画像と前記ライブビュー画像における顔の大きさがお互いに近似された、前記サンプル画像と前記ライブビュー画像を、お互いの顔が重ね合う部位に交互に表示させることを特徴とする。
【手続補正５】
【補正対象書類名】明細書
【補正対象項目名】００１１
【補正方法】変更
【補正の内容】
【００１１】
また、請求項５記載の発明に係る画像表示装置にあっては、前記表示制御回路により前記ライブビュー画像を表示させる時間と、前記サンプル画像を表示させる時間とが異なることを特徴とする。
【手続補正６】
【補正対象書類名】明細書
【補正対象項目名】００１２
【補正方法】変更
【補正の内容】
【００１２】
また、請求項６記載の発明に係る画像表示装置にあっては、前記表示制御回路により前記ライブビュー画像を表示させる時間が、前記サンプル画像を表示させる時間よりも長いことを特徴とする。
【手続補正７】
【補正対象書類名】明細書
【補正対象項目名】００１３
【補正方法】変更
【補正の内容】
【００１３】
また、請求項７記載の発明に係る画像表示装置にあっては、前記表示制御回路は、メイクアップの段階や部位に応じた種別毎にメイクアップが施された複数種の前記顔を表示させることを特徴とする。
【手続補正８】
【補正対象書類名】明細書
【補正対象項目名】００１４
【補正方法】変更
【補正の内容】
【００１４】
また、請求項８記載の発明に係る画像表示方法にあっては、顔を含む画像からなるサンプル画像を取得する取得ステップと、ユーザを連続的に撮像して画像データを出力する撮像ステップと、前記撮像ステップで出力される画像データにより表されるライブビュー画像におけるユーザの顔の大きさと、前記取得ステップにより取得した前記サンプル画像における顔の大きさとを互いに近似させるように、前記ライブビュー画像におけるユーザの顔の大きさと、前記サンプル画像における顔の大きさとの少なくとも一方を調整する調整ステップと、前記調整ステップにより前記サンプル画像と前記ライブビュー画像における顔の大きさがお互いに近似された、前記サンプル画像と前記ライブビュー画像を表示させる表示制御ステップと、を含むことを特徴とする。